【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
複数のゲートラインの各々に連結された複数のピクセルを含む表示パネルと、
前記複数のゲートラインにゲート信号を出力する複数の駆動ステージを含むゲート駆動回路と、
電圧出力端子にゲートオン電圧を出力する電圧発生器と、
前記電圧出力端子の電流変化を感知し、感知された電流変化に対応するバックバイアス制御電圧を出力する信号制御部と、を含み、
前記複数の駆動ステージの各々は、複数の酸化物半導体薄膜トランジスタを含み、前記複数の酸化物半導体薄膜トランジスタの中で少なくとも１つは、前記バックバイアス制御電圧にしたがってスレショルド電圧が調節可能な４端子型のトランジスタであることを特徴とする表示装置。
【請求項２】
前記ゲートオン電圧を受信し、少なくとも１つのクロック信号及び少なくとも１つの接地電圧を前記ゲート駆動回路に提供するクロック発生器をさらに含むことを特徴とする請求項１に記載の表示装置。
【請求項３】
前記ゲート駆動回路は、
前記バックバイアス制御電圧を前記複数のステージの各々に伝達するためのバックバイアス電圧信号ラインと、
前記少なくとも１つのクロック信号を前記複数のステージの各々に伝達するためのクロック信号ラインと、
前記少なくとも１つの接地電圧を前記複数のステージの各々に伝達するための接地電圧ラインと、をさらに含むことを特徴とする請求項２に記載の表示装置。
【請求項４】
前記複数のステージは、
前記バックバイアス制御電圧、前記少なくとも１つのクロック信号及び前記少なくとも１つの接地電圧に応答して前記ゲート信号を出力することを特徴とする請求項３に記載の表示装置。
【請求項５】
前記ステージの中でｋ番目の（ここで、ｋは、２以上の自然数）ステージは、
第１ノードの出力制御信号を受信する制御電極、前記少なくとも１つのクロック信号を受信する入力電極及びｋ番目のゲート信号を出力する出力電極を含む第１出力トランジスタと、
前記第１ノードの前記出力制御信号を受信する制御電極、前記少なくとも１つのクロック信号を受信する入力電極及びｋ番目のキャリー信号を出力する出力電極を含む第２出力トランジスタと、
前記少なくとも１つのクロック信号、ｋ−１番目のステージから出力されるｋ−１番目のキャリー信号及びｋ＋１番目のステージから出力されるｋ＋１番目のキャリー信号に応答して前記第１ノードに前記出力制御信号を出力する制御部と、を含むことを特徴とする請求項４に記載の表示装置。
【請求項６】
前記第１出力トランジスタ及び前記第２出力トランジスタの中で少なくとも１つは、前記バックバイアス制御電圧にしたがってスレショルド電圧が調節可能な前記４端子型のトランジスタであることを特徴とする請求項５に記載の表示装置。
【請求項７】
前記ｋ番目のステージは、
前記第１出力トランジスタの出力電極と前記少なくとも１つの接地電圧ラインとの間に連結され、第２ノードのプルダウン制御信号及びｋ＋１番目のステージから出力されるｋ＋１番目のキャリー信号に応答して前記第１出力トランジスタの出力電極を前記少なくとも１つの接地電圧にプルダウンさせる第１プルダウン部と、
前記第２出力トランジスタの出力電極と前記少なくとも１つの接地電圧ラインとの間に連結され、前記第２ノードのプルダウン制御信号及び前記ｋ＋１番目のステージから出力される前記ｋ＋１番目のキャリー信号に応答して前記第２出力トランジスタの出力電極を前記少なくとも１つの接地電圧にプルダウンさせる第２プルダウン部と、をさらに含み、
前記制御部は、前記第２ノードに前記プルダウン制御信号をさらに出力することを特徴とする請求項５に記載の表示装置。
【請求項８】
前記クロック発生器から出力される前記少なくとも１つの接地電圧は、第１接地電圧及び第２接地電圧を含み、
前記第１プルダウン部は、前記第１出力トランジスタの出力電極と前記第１接地電圧が入力される第１接地端子との間に連結され、
前記第２プルダウン部は、前記第２出力トランジスタの出力電極と前記第２接地電圧が入力される第２接地端子との間に連結されることを特徴とする請求項７に記載の表示装置。
【請求項９】
前記第１接地電圧と前記第２接地電圧とは、互に異なる電圧レベルを有することを特徴とする請求項８に記載の表示装置。
【請求項１０】
前記制御部は、
前記少なくとも１つのクロック信号を受信する入力電極と第３ノードとの間に連結され、前記少なくとも１つのクロック信号を受信する制御電極を含む第５トランジスタと、前記少なくとも１つのクロック信号を受信する入力電極と前記第２接地電圧が入力される第２接地端子との間に連結され、前記第３ノードと連結された制御電極を含む第６トランジスタと、
前記第３ノードと前記第２接地電圧が入力される第２接地端子との間に連結され、前記第２出力トランジスタの出力端子と連結された制御電極を含む第７トランジスタと、
前記第２ノードと前記第２接地電圧が入力される第２接地端子との間に連結され、前記第２出力トランジスタの出力端子と連結された制御電極を含む第８トランジスタと、を含むことを特徴とする請求項８に記載の表示装置。
【請求項１１】
前記第７トランジスタ及び前記第８トランジスタの中で少なくとも１つは、前記バックバイアス制御電圧にしたがってスレショルド電圧が調節可能な前記４端子型のトランジスタであることを特徴とする請求項１０に記載の表示装置。
【請求項１２】
前記制御部は、
前記ｋ−１番目のステージから出力される前記ｋ−１番目のキャリー信号が入力される入力端子と前記第１ノードとの間に連結され、前記ｋ−１番目のキャリー信号を受信する制御電極を含む第３トランジスタと、
前記第１ノードと前記第２接地電圧が入力される第２接地端子との間に連結され、前記ｋ＋１番目のステージから出力される前記ｋ＋１番目のキャリー信号を受信する制御電極を含む第４トランジスタと、をさらに含むことを特徴とする請求項１０に記載の表示装置。
【請求項１３】
前記第１プルダウン部は、
前記第１出力トランジスタの出力電極と前記第１接地電圧が入力される第１接地端子との間に連結され、前記第２ノードの前記プルダウン制御信号を受信する制御電極を含む第１０トランジスタと、
前記第１出力トランジスタの出力電極と前記第１接地電圧が入力される第１接地端子との間に連結され、前記ｋ＋１番目のステージから出力される前記ｋ＋１番目のキャリー信号を受信する制御電極を含む第１１トランジスタと、を含むことを特徴とする請求項８に記載の表示装置。
【請求項１４】
前記第２プルダウン部は、
前記第２出力トランジスタの出力電極と前記少なくとも１つの接地電圧が入力される接地端子との間に連結され、前記第２ノードの前記プルダウン制御信号を受信する制御電極を含む第１２トランジスタと、
前記第２出力トランジスタの出力電極と前記少なくとも１つの接地電圧が入力される接地端子との間に連結され、ｋ＋１番目のステージから出力される前記ｋ＋１番目のキャリー信号を受信する制御電極を含む第１３トランジスタと、を含むことを特徴とする請求項８に記載の表示装置。
【請求項１５】
前記信号制御部は、
前記電圧出力端子の電流変化を感知し、感知された電流変化に対応する感知電圧を出力する電流感知部と、
前記感知電圧をデジタルの感知信号に変換するアナログ−デジタル変換機と、
前記デジタルの感知信号に応答してバイアス電圧信号を出力するタイミングコントローラと、
前記バイアス電圧信号をアナログバイアス電圧信号に変換するデジタル−アナログ変換機と、
前記アナログバイアス電圧信号を前記バックバイアス制御電圧に変換する出力アンプと、を含むことを特徴とする請求項１に記載の表示装置。
【請求項１６】
前記タイミングコントローラは、
周期的に活性化される感知制御信号をさらに出力し、
前記電流感知部は、前記感知制御信号に同期して前記感知電圧を出力することを特徴とする請求項１５に記載の表示装置。
【請求項１７】
前記タイミングコントローラは、
感知制御信号を出力し、所定の時間が経過したとき、受信される前記デジタルの感知信号に応答して前記バイアス電圧信号を出力することを特徴とする請求項１６に記載の表示装置。
【請求項１８】
複数のゲートラインの各々に連結された複数のピクセルを含む表示パネルと、
電圧出力端子にゲートオン電圧を出力する電圧発生器と、
前記ゲートオン電圧を受信し、少なくとも１つのクロック信号を出力するクロック出力端子及び第１接地電圧を出力する第１接地電圧の出力端子を含むクロック発生器と、
各々が前記少なくとも１つのクロック信号及び前記第１接地電圧を受信し、前記複数のゲートラインにゲート信号を出力する複数の駆動ステージを含むゲート駆動回路と、
前記第１接地電圧の出力端子の電流変化を感知し、感知された電流変化に対応するバックバイアス制御電圧を出力する信号制御部と、を含み、
前記複数の駆動ステージの各々は、複数の酸化物半導体薄膜トランジスタと、を含み、前記複数の酸化物半導体薄膜トランジスタの中で少なくとも１つは、前記バックバイアス制御電圧にしたがってスレショルド電圧が調節可能な４端子型のトランジスタであることを特徴とする表示装置。
【請求項１９】
前記信号制御部は、
前記第１接地電圧の出力端子の電流変化を感知し、感知された電流変化に対応する感知電圧を出力する電流感知部と、
前記感知電圧をデジタルの感知信号に変換するアナログ−デジタル変換機と、
前記デジタルの感知信号に応答してバイアス電圧信号を出力するタイミングコントローラと、
前記バイアス電圧信号をアナログバイアス電圧信号に変換するデジタル−アナログ変換機と、
前記アナログバイアス電圧信号を前記バックバイアス制御電圧に変換する出力アンプと、を含むことを特徴とする請求項１８に記載の表示装置。
【請求項２０】
前記タイミングコントローラは、
周期的に活性化される感知制御信号をさらに出力し、
前記電流感知部は、前記感知制御信号に同期して前記感知電圧を出力することを特徴とする請求項１９に記載の表示装置。